(57)【要約】【課題】複雑な形状を有するカラーフィルタであったり、下層にＴＦＴパターンを有していたりしても最適な測定ポイントを決定することが可能であり、また、色具合によらずに最適な測定ポイントを決定することが可能となる測定領域設定装置、測定領域設定方法および分光測定装置を提供すること。【解決手段】画像表示装置に用いるカラーフィルタの分光測定を行なう際に測定領域を設定するための測定領域設定装置であって、前記カラーフィルタのカラー画像から指定された色の色領域を抽出する色領域抽出手段と、前記色領域抽出手段によって抽出された前記色領域から最適な測定位置を決定する最適測定位置決定手段と、前記最適測定位置決定手段によって決定された前記測定位置の中心を前記カラーフィルタの分光測定を行なう際の測定領域の中心として設定する測定領域設定手段とを備える。【選択図】図７
2010117186.tif 000002
【特許請求の範囲】
【請求項１】
画像表示装置に用いるカラーフィルタの分光測定を行なう際に測定領域を設定するための測定領域設定装置であって、
前記カラーフィルタのカラー画像から指定された色の色領域を抽出する色領域抽出手段と、
前記色領域抽出手段によって抽出された前記色領域から最適な測定位置を決定する最適測定位置決定手段と、
前記最適測定位置決定手段によって決定された前記測定位置の中心を前記カラーフィルタの分光測定を行なう際の測定領域の中心として設定する測定領域設定手段と、
を備えることを特徴とする測定領域設定装置。
【請求項２】
前記最適測定位置決定手段は、前記色領域抽出手段によって抽出された前記色領域の略中央から最適な測定位置を決定することを特徴とする請求項１に記載の測定領域設定装置。
【請求項３】
前記色領域抽出手段は、前記カラーフィルタのカラー画像の略中央から指定された色の色領域を抽出することを特徴とする請求項１に記載の測定領域設定装置。
【請求項４】
前記最適測定位置決定手段は、前記色領域抽出手段によって抽出された前記色領域内の画素を中心として前記色領域内に内接する最大の円を、前記最適な測定位置として決定することを特徴とする請求項１乃至３の何れか１項に記載の測定領域設定装置。
【請求項５】
前記最適測定位置決定手段は、前記測定領域設定手段によって設定されるべき前記測定領域が前記色領域抽出手段によって抽出された前記色領域内に存在し、前記測定領域の境界から前記色領域の境界に対する周囲４方向の距離の和が最大となる前記測定領域を、前記最適な測定位置として決定することを特徴とする請求項１乃至３の何れか１項に記載の測定領域設定装置。
【請求項６】
前記最適測定位置決定手段は、前記色領域抽出手段によって抽出された前記色領域内の画素から前記色領域の境界に対する周囲４方向の距離の和が最大となり、前記測定領域設定手段によって設定されるべき前記測定領域が前記色領域抽出手段によって抽出された前記色領域内に存在する前記画素を、前記最適な測定位置の中心として決定することを特徴とする請求項１乃至３の何れか１項に記載の測定領域設定装置。
【請求項７】
前記最適測定位置決定手段は、請求項４乃至６の何れかの手法のうち複数の手法を併用して、前記最適な測定位置を決定することを特徴とする請求項１乃至３の何れか１項に記載の測定領域設定装置。
【請求項８】
前記最適測定位置決定手段は、前記最適な測定位置が複数決定された場合、前記カラー画像の中心から距離が最短となる測定位置を前記最適な測定位置として選択することを特徴とする請求項１乃至７の何れか１項に記載の測定領域設定装置。
【請求項９】
前記色領域抽出手段は、前記カラーフィルタに含まれる情報のうち、少なくとも色相情報に基づいて前記色領域を抽出することを特徴とする請求項１乃至８の何れか１項に記載の測定領域設定装置。
【請求項１０】
画像表示装置に用いるカラーフィルタの分光測定を行なうための分光測定装置であって、
前記カラーフィルタのカラー画像を取得する画像取得部と、
請求項１乃至９の何れか１項に記載の測定領域設定装置と、
前記測定領域設定装置によって設定された測定領域の分光透過率、分光反射率またはＲＧＢ顔料の膜厚を測定する分光測定部と、
を備え、
前記色領域抽出手段は、前記画像取得部によって取得したカラー画像から指定された色の色領域を抽出することを特徴とする分光測定装置。
【請求項１１】
前記測定位置に観察光学系の光軸を位置決めすると共に、照明系の光軸を前記観察光学系の移動に追従させて前記測定位置を照明する顕微鏡と、
前記顕微鏡によって拡大された前記測定位置のカラー画像を取得する撮像系と、
前記最適測定位置決定手段によって決定された前記最適な測定位置と、前記観察光学系の光軸にあたる実測定ポイントとの位置ずれ量を算出し、前記最適な測定位置と前記実測定ポイントとの位置を合致させる駆動系と、
を備えることを特徴とする請求項１０に記載の分光測定装置。
【請求項１２】
画像表示装置に用いるカラーフィルタの分光測定を行なう際に測定領域を設定するための測定領域設定方法であって、
前記カラーフィルタのカラー画像から指定された色の色領域を抽出し、
前記抽出された前記色領域から最適な測定位置を決定し、
前記決定された前記測定位置の中心を前記カラーフィルタの分光測定を行なう際の測定領域の中心として設定する、
ことを特徴とする測定領域設定方法。
【発明の詳細な説明】
【技術分野】
【０００１】
本発明は、液晶ディスプレイ（ＬＣＤ：Liquid Crystal Display）、ＰＤＰ（Plasma Display Panel）、有機ＥＬ（Electro-Luminescence）ディスプレイ、ＳＥＤ（Surface-conduction Electron-emitter Display）等のＦＰＤ（Flat Panel Display）である画像表示装置に使用されるカラーフィルタにおける微小なセルの分光透過率、分光反射率およびＲＧＢ顔料の膜厚測定時に用いられる測定領域設定装置、測定領域設定方法および分光測定装置に関するものである。
【背景技術】
【０００２】
従来、画像表示装置に使用されるカラーフィルタにおける微小なセルの分光透過率、分光反射率およびＲＧＢ顔料の膜厚測定を行なう際、その測定ポイント（測定位置または測定領域）をどこにすれば良いかを決めることは正確な測定値を得る上で重要である。
【０００３】
例えば、被測定対象であるカラーフィルタを撮像したカラー画像からカラーサーチにより測定色領域を抽出し、更に前記測定色領域の面積、重心位置、外形矩形上の任意の位置の少なくとも１つの特徴情報から測定領域候補を絞り、最終的には前記測定領域候補の色に関する標準偏差の情報から最も測定値がばらつかない測定ポイントを求めている（例えば、特許文献１参照。）。
【特許文献１】特開２００８-８２９４８号公報
【発明の開示】
【発明が解決しようとする課題】
【０００４】
しかしながら、カラーフィルタのパターンが複雑な形状になったり、下層にＴＦＴパターンが形成されたりしているものが増えてきており、測定範囲内に意図する色以外の領域が含まれてしまう場合があり、正確な測定結果を得ることができないという問題点があった。
【０００５】
例えば、測定セル内の重心位置を測定ポイントとする方法などがあるが、この場合、測定ポイントにＴＦＴパターンが含まれてしまう可能性があった。
また、測定ポイント付近のパターンマッチングを行なって測定ポイントを特定する方法もあるが、その場合、被測定対象の形状毎にモデルパターン登録をする必要があり、設定が煩雑でユーザーの負荷が増えてしまっていた。
【０００６】
更に、上記特許文献１のように、色に関する標準偏差の情報から測定ポイントを求める方法では、被測定対象の色具合によって測定ポイントが大きく変動し、毎回ばらつきの少ないポイントのみを測定することになるため、正確な分光測定とは言えなかった。
【０００７】
本発明は上記のような問題点に鑑みてなされたものであり、複雑な形状を有するカラーフィルタであったり、下層にＴＦＴパターンを有していたりしても最適な測定ポイントを決定することが可能であり、また、色具合によらずに最適な測定ポイントを決定することが可能となる測定領域設定装置、測定領域設定方法および分光測定装置を提供することを目的とする。
【課題を解決するための手段】
【０００８】
本発明は、上記課題を解決するため、下記のような構成を採用した。
すなわち、本発明の一態様によれば、本発明の測定領域設定装置は、画像表示装置に用いるカラーフィルタの分光測定を行なう際に測定領域を設定するための測定領域設定装置
であって、前記カラーフィルタのカラー画像から指定された色の色領域を抽出する色領域抽出手段と、前記色領域抽出手段によって抽出された前記色領域から最適な測定位置を決定する最適測定位置決定手段と、前記最適測定位置決定手段によって決定された前記測定位置の中心を前記カラーフィルタの分光測定を行なう際の測定領域の中心として設定する測定領域設定手段とを備えることを特徴とする。
【０００９】
また、本発明の測定領域設定装置は、前記最適測定位置決定手段が、前記色領域抽出手段によって抽出された前記色領域の略中央から最適な測定位置を決定することが望ましい。
【００１０】
また、本発明の測定領域設定装置は、前記色領域抽出手段が、前記カラーフィルタのカラー画像の略中央から指定された色の色領域を抽出することが望ましい。
また、本発明の測定領域設定装置は、前記最適測定位置決定手段が、前記色領域抽出手段によって抽出された前記色領域内の画素を中心として前記色領域内に内接する最大の円を、前記最適な測定位置として決定することが望ましい。
【００１１】
また、本発明の測定領域設定装置は、前記最適測定位置決定手段が、前記測定領域設定手段によって設定されるべき前記測定領域が前記色領域抽出手段によって抽出された前記色領域内に存在し、前記測定領域の境界から前記色領域の境界に対する周囲４方向の距離の和が最大となる前記測定領域を、前記最適な測定位置として決定することが望ましい。
【００１２】
また、本発明の測定領域設定装置は、前記最適測定位置決定手段が、前記色領域抽出手段によって抽出された前記色領域内の画素から前記色領域の境界に対する周囲４方向の距離の和が最大となり、前記測定領域設定手段によって設定されるべき前記測定領域が前記色領域抽出手段によって抽出された前記色領域内に存在する前記画素を、前記最適な測定位置の中心として決定することが望ましい。
【００１３】
また、本発明の測定領域設定装置は、前記最適測定位置決定手段が、前述の何れかの手法のうち複数の手法を併用して、前記最適な測定位置を決定することが望ましい。
また、本発明の測定領域設定装置は、前記最適測定位置決定手段が、前記最適な測定位置が複数決定された場合、前記カラー画像の中心から距離が最短となる測定位置を前記最適な測定位置として選択することが望ましい。
【００１４】
また、本発明の測定領域設定装置は、前記色領域抽出手段が、前記カラーフィルタに含まれる情報のうち、少なくとも色相情報に基づいて前記色領域を抽出することが望ましい。
【００１５】
また、本発明の一態様によれば、本発明の分光測定装置は、画像表示装置に用いるカラーフィルタの分光測定を行なうための分光測定装置であって、前記カラーフィルタのカラー画像を取得する画像取得部と、前述の何れかの測定領域設定装置と、前記測定領域設定装置によって設定された測定領域の分光透過率、分光反射率またはＲＧＢ顔料の膜厚を測定する分光測定部とを備え、前記色領域抽出手段が、前記画像取得部によって取得したカラー画像から指定された色の色領域を抽出することを特徴とする。
【００１６】
また、本発明の分光測定装置は、前記測定位置に観察光学系の光軸を位置決めすると共に、照明系の光軸を前記観察光学系の移動に追従させて前記測定位置を照明する顕微鏡と、前記顕微鏡によって拡大された前記測定位置のカラー画像を取得する撮像系と、前記最適測定位置決定手段によって決定された前記最適な測定位置と、前記観察光学系の光軸にあたる実測定ポイントとの位置ずれ量を算出し、前記最適な測定位置と前記実測定ポイントとの位置を合致させる駆動系とを備えることが望ましい。
【００１７】
また、本発明の一態様によれば、本発明の測定領域設定方法は、画像表示装置に用いるカラーフィルタの分光測定を行なう際に測定領域を設定するための測定領域設定方法であって、前記カラーフィルタのカラー画像から指定された色の色領域を抽出し、前記抽出された前記色領域から最適な測定位置を決定し、前記決定された前記測定位置の中心を前記カラーフィルタの分光測定を行なう際の測定領域の中心として設定することを特徴とする。
【発明の効果】
【００１８】
本発明によれば、被測定対象であるカラーフィルタの形状が複雑であったり、下層にＴＦＴパターン等があったりした場合でも、分光測定を行なう際の最適な測定ポイントを自動的に設定することができる。
【００１９】
また、本発明によれば、カラーフィルタの色具合によらない測定ポイントを設定することができ、さらには、パターンマッチングのためのモデルパターンの登録等の煩雑さがない。
【００２０】
また、本発明によれば、複数の最適測定ポイントが算出された場合であっても、自動的に最適測定ポイントを絞ることができる。
また、本発明によれば、複数の最適測定ポイントが算出された場合であっても、最終的に１つの最適測定ポイントを得ることができる。
【００２１】
また、本発明によれば、被測定対象のカラーフィルタから、自動的にユーザーが指定する色領域を抽出することができる。
また、本発明によれば、算出された最適測定ポイントを、自動的に画像の中心（実測定ポイント）に移動することができる。
【００２２】
また、本発明によれば、ユーザーが指定する測定ポイントにおいて、自動的に分光測定を行うことができる。
【発明を実施するための最良の形態】
【００２３】
以下、本発明の実施の形態について図面を参照しながら説明する。
（第１の実施の形態）
図１は、本発明を適用した分光測定装置を示す全体構成図である。
【００２４】
図１において、分光測定装置２は、被測定対象であるカラーフィルタ２０を搭載するステージ３と、前記ステージ３に設けられたレール４に沿ってＸ方向に直線移動可能な門型フレーム５と、前記門型フレーム５に固定されたレール１１に沿って、前記カラーフィルタ２０の下方でＹ方向に直線移動可能な透過照明系６と、門型フレーム５に固定された図示しないレールに沿って、カラーフィルタ２０の上方でＹ方向に直線移動可能な顕微鏡ヘッド７と、前記顕微鏡ヘッド７に備えられた撮像装置８により取得されたカラー画像を処理して測定ポイントを設定する測定領域設定装置１と、前記測定領域設定装置１により設定された測定ポイントに基づいてカラーフィルタ２０の測定ポイントと顕微鏡ヘッド７の光軸とのずれ量を検出するずれ量検出部９と、前記ずれ量検出部９により検出されたずれ量に基づいて、門型フレーム５、透過照明系６および顕微鏡ヘッド７を移動させる駆動制御部１０とを備えている。
【００２５】
なお、前記門型フレーム５は、Ｘ方向が固定であって、前記ステージ３がＸ方向に移動可能であってもよい。この場合は、前記ずれ量検出部９により検出されたずれ量に基づいて、駆動制御部１０が、ステージ３をＸ方向に移動するよう制御し、透過照明系６および
顕微鏡ヘッド７をＹ方向に移動するよう制御することになる。
【００２６】
また、分光測定装置２は、測定領域設定装置１により設定された測定領域についての分光透過率、分光反射率、または、ＲＧＢ顔料膜厚を演算するための図示しない分光演算装置を備えている。
【００２７】
前記透過照明系６は、門型フレーム５に固定されたレール１１に沿って移動可能なスライダ１２上を備えた追従移動機構１３に取り付けられている。追従移動機構１３は、カラーフィルタ２０の上方における顕微鏡ヘッド７のＹ方向への移動を追従して、透過照明系６を移動させることができるようになっている。
【００２８】
また、スライダ１２上には、顕微鏡ヘッド７をカラーフィルタ２０の１画素（測定ポイント）に対応する位置に位置決めしたとき、撮像装置８により取得されたカラー画像に基づいて、測定ポイントと透過照明系６によるスポット照明光との位置ずれを補正するためのＸＹテーブル１４が備えられている。すなわち、ＸＹテーブル１４は、前記駆動制御部１０の作動により駆動されることより、顕微鏡ヘッド７に設けられている対物レンズ１５の光軸に対して透過照明系６の光軸を一致させるように透過照明系６を移動させるようになっている。
【００２９】
図２は、本発明の概要を説明するための図であり、図３は、Ｒ（赤色）Ｇ（緑色）Ｂ（青色）から構成され、下層にＴＦＴパターンを有するカラー画像の例を示す図であり、図４は、測定色領域の例を示す図であり、図５は、探索領域の例を示す図であり、図６は、最適測定ポイントの例を示す図である。
【００３０】
図２において、前記測定領域設定装置１は、前記撮像装置８から送られてくるカラー画像情報（ａ）と、ユーザー指定の測定色情報（ｂ）、および測定ポイントの大きさを表す測定範囲（ｓ）から最適測定ポイントＭを検出する。また、前記測定領域設定装置１は、前処理部１６、色領域抽出部１７、中央領域抽出部１８および最適測定ポイント抽出部１９を備えている。
【００３１】
前記前処理部１６は、前記撮像装置８からのカラー画像情報（ａ）を受け取ってメモリ上に記憶し、必要に応じてシェーディング補正や歪補正等の画像補正処理を実行する。
前記色領域抽出部１７は、前記前処理部１６から入力された補正処理後のカラー画像Ａ（図３）とユーザー指定の測定色情報（ｂ）とに基づいて、カラー画像Ａのうち、測定色情報（ｂ）、例えば赤色を示す情報と略一致する色情報を有する測定色領域Ｂ（図４）を抽出する。
【００３２】
前記中央領域抽出部１８は、前記色領域抽出部１７から入力された測定色領域Ｂから、画像中央付近の任意サイズの探索領域Ｃ（図５）を抽出する。
前記最適測定ポイント抽出部１９は、前記中央領域抽出部１８から入力された探索領域Ｃから、最適測定ポイントＭ（図６）を算出し、前記ずれ量検出部９によって、画像中心の実測定ポイントと最適測定ポイントＭとのずれ量（ｍ）を検出する。
【００３３】
なお、前記色領域抽出部１７による測定色領域Ｂの抽出と前記中央領域抽出部１８による探索領域Ｃの抽出の順序は、どちらが先でも後でもよい。
ここで、測定領域設定装置１の作用について説明する。
【００３４】
前記色領域抽出部１７による測定色領域Ｂの抽出方法は、カラー画像Ａに対し、色相、輝度、彩度の各々がユーザー指定の測定色情報（ｂ）に含まれる閥値内であるかどうかで判断され抽出される。
【００３５】
また、前記中央領域抽出部１８による探索領域Ｃの抽出方法は、前記色領域抽出部１７によって抽出された測定色領域Ｂから、画像中央付近の探索領域Ｃを抽出する。抽出される探索領域Ｃのサイズはユーザー指定により、画素単位で指定される。抽出する探索領域Ｃのサイズ指定が大きければ、最適測定ポイントＭの抽出精度は上がるが、それ以降の一連の画像処理に要する時間が増加する。他方、抽出する探索領域Ｃのサイズ指定が小さければ、画像処理に要する時間は減少するが、意図する測定ポイントが探索領域Ｃ内に存在しないなど、抽出精度は低下する。
【００３６】
そして、前記中央領域抽出部１８により抽出された探索領域Ｃから、最も測定範囲Ｓが内包される位置が最適測定ポイントＭとして算出されるが、最適測定ポイントＭの具体的な算出方法については図８乃至１０を用いて後述する。
【００３７】
次に、本発明を適用した測定領域設定装置の機能について説明する。
図７は、本発明を適用した測定領域設定装置１の機能ブロック図である。
図７において、測定領域設定装置１は、画像表示装置に用いるカラーフィルタ２０における微小なセルの分光透過率、分光反射率およびＲＧＢ顔料の膜厚測定等の分光測定を分光測定装置２が行なう際に、その測定領域を設定する。そのために、測定領域設定装置１は、色領域抽出手段２１、最適測定位置決定手段２２および測定領域設定手段２３を備えている。
【００３８】
色領域抽出手段２１は、前記カラーフィルタ２０のカラー画像Ａから指定された色、例えば、ＲＧＢ形式の赤色を示す情報の色領域（測定色領域Ｂ：図４）を抽出する。この際、前記色領域抽出手段２１は、前記カラーフィルタ２０のカラー画像の略中央から指定された色の色領域を抽出してもよい。
【００３９】
最適測定位置決定手段２２は、前記色領域抽出手段２１によって抽出された前記色領域から最適な測定位置（最適測定ポイントＭ：図６）を決定する。その際、前記最適測定位置決定手段２２は、前記色領域抽出手段２１によって抽出された前記色領域の略中央から最適な測定位置を決定することが可能である。
【００４０】
最適な測定位置の決定方法は、例えば、下記の第１乃第３のような具体的な手法がある。
まず、第１の手法として、前記最適測定位置決定手段２２は、前記色領域抽出手段２１によって抽出された前記色領域内の画素を中心として前記色領域内に内接する最大の円を、前記最適な測定位置として決定することが可能である。また、第２の手法として、前記最適測定位置決定手段２２は、前記測定領域設定手段２３によって設定されるべき前記測定領域が前記色領域抽出手段２１によって抽出された前記色領域内に存在し、前記測定領域の境界から前記色領域の境界に対する周囲４方向の距離の和が最大となる前記測定領域を、前記最適な測定位置として決定することが可能である。また、第３の手法として、前記最適測定位置決定手段２２は、前記色領域抽出手段２３によって抽出された前記色領域内の画素から前記色領域の境界に対する周囲４方向の距離の和が最大となり、前記測定領域設定手段２３によって設定されるべき前記測定領域が前記色領域抽出手段２１によって抽出された前記色領域内に存在する前記画素を、前記最適な測定位置の中心として決定することが可能である。
【００４１】
なお、前記最適測定位置決定手段２２は、前述の第１乃至第３の何れかの手法のうち複数の手法を併用して、前記最適な測定位置を決定することも可能である。また、前記最適測定位置決定手段２２は、前記最適な測定位置が複数決定された場合、前記カラー画像の中心から距離が最短となる測定位置を前記最適な測定位置として選択してもよい。
【００４２】
測定領域設定手段２３は、前記最適測定位置決定手段２２によって決定された前記測定位置の中心を前記カラーフィルタ２０の分光測定を行なう際の測定領域の中心として設定する。この際、前記色領域抽出手段２３は、前記カラーフィルタ２０に含まれる情報のうち、少なくとも色相情報に基づいて前記色領域を抽出することが可能である。
【００４３】
このような測定領域設定装置１は、画像表示装置に用いるカラーフィルタ２０の分光測定を行なうための分光測定装置２に用いることができる。前記分光測定装置２は、前記カラーフィルタ２０のカラー画像を取得する撮像装置８等の画像取得部と、前述の測定領域設定装置１と、前記測定領域設定装置１によって設定された測定領域の分光透過率、分光反射率またはＲＧＢ顔料の膜厚を測定する分光演算装置等の分光測定部とを備える。この際、測定領域設定装置１が備える前記色領域抽出手段２１が、前記画像取得部によって取得したカラー画像から指定された色の色領域を抽出する。
【００４４】
なお、前記分光測定装置２による最初の測定は、前述のように前記測定領域設定装置１によって設定された測定領域に対して実行されるが、２度目以降の測定は、同一の測定領域に対して実行しても良い。
【００４５】
次に、最適測定ポイントＭの具体的な算出について説明する。
図８は、第１の実施の形態における最適測定ポイントＭの具体的な算出方法を説明するための図である。
【００４６】
最適測定ポイントＭの具体的な算出は、図８に示すように、探索領域Ｃ内の画素毎にその画素を中心とし、探索領域Ｃに内包され、かつ、探索領域Ｃの境界に内接する内接円を順次描き、その直径を取得する。その直径が最大になり、かつ、その直径が測定範囲Ｓよりも大きくなる画素位置を最適測定ポイントＭとする。
【００４７】
このように抽出された最適測定ポイントＭが、ずれ量検出部９に出力され、ずれ量検出部９によって算出された位置ずれ量情報が駆動制御部１０に出力されることによって、最適測定ポイントＭが画像中心の実測定ポイントに一致するように、ステージ３または透過照明系６および顕微鏡ヘッド７が移動することになる。
【００４８】
その結果、被測定対象であるカラーフィルタ２０の形状が複雑であったり、下層にＴＦＴパターン等があったりした場合でも、測定ポイントを特定することができる。
また、カラーフィルタ２０の色具合によらない測定ポイントの特定ができ、更には、パターンマッチングのためのモデルパターンの登録等の煩雑さもない。
【００４９】
以上が本発明を適用した第１の実施の形態の説明である。
（第２の実施の形態）
本発明を適用した第２の実施の形態について説明する。
【００５０】
図１を用いて説明した分光測定装置２の全体構成、図２乃至図６を用いて説明した本発明の概要、および図７を用いて説明した測定領域設定装置１の機能については、第２の実施の形態についても同様であるので、それらの説明を省略する。
【００５１】
第２の実施の形態が第１の実施の形態と異なるのは、最適測定ポイントＭの算出方法である。
図９は、第２の実施の形態における最適測定ポイントＭの具体的な算出方法を説明するための図である。
【００５２】
図９に示したように、第２の実施の形態における最適測定ポイントＭの算出方法は、測定範囲Ｓを探索領域Ｃに順次内包していき、測定範囲Ｓの接線と探索領域Ｃの境界との距離ｄ1を算出し、その距離ｄ1に基づいて最適測定ポイントＭを決定する。すなわち、距離ｄ1が最大となる位置が最適測定ポイントＭとなる。図９に示した例によると、距離ｄ1＝ｘ11＋ｘ21＋ｙ11＋ｙ21となる。
【００５３】
本第２の実施の形態によって、第１の実施の形態と同等の効果が得られる。
以上が本発明を適用した第２の実施の形態の説明である。
（第３の実施の形態）
本発明を適用した第３の実施の形態について説明する。
【００５４】
図１を用いて説明した分光測定装置２の全体構成、図２乃至図６を用いて説明した本発明の概要、および図７を用いて説明した測定領域設定装置１の機能については、第３の実施の形態についても同様であるので、それらの説明を省略する。
【００５５】
第３の実施の形態が第１の実施の形態と異なるのは、最適測定ポイントＭの算出方法である。
図１０は、第３の実施の形態における最適測定ポイントＭの具体的な算出方法を説明するための図である。
【００５６】
図１０に示したように、第３の実施の形態における最適測定ポイントＭの算出方法は、探索領域Ｃの画素毎に、その画素から探索領域Ｃの境界までの各方向の距離の和ｄ2を算出し、その距離ｄ2に基づいて最適測定ポイントＭを決定する。すなわち、距離ｄ2が最大となり、かつ、測定範囲Ｓが内包可能な位置が最適測定ポイントＭとなる。図１０に示した例によると、距離ｄ2＝ｘ12＋ｘ22＋ｙ12＋ｙ22が最大であり、かつ、ｘ12、ｘ22、ｙ12、ｙ22のそれぞれが測定範囲Ｓの半径より大きい位置が最適測定ポイントＭである。
【００５７】
本第３の実施の形態によって、第１の実施の形態と同等の効果が得られる。
以上が本発明を適用した第３の実施の形態の説明である。
（第４の実施の形態）
本発明を適用した第４の実施の形態について説明する。
【００５８】
上述した第１乃至第３の何れかの実施の形態において、最適測定ポイントＭが複数算出された場合、その最適測定ポイントＭの算出方法とは別の第１乃至第３の実施の形態である最適測定ポイントＭの算出方法を併用して最適測定ポイントＭを算出する。あるいは、撮像装置８によって撮像したカラー画像の中心からの距離が最も短い最適測定ポイントＭを最終的な最適測定ポイントＭとする。
【００５９】
本第４の実施の形態によって、第１乃至第３の何れかの実施の形態において、最適測定ポイントＭが複数算出された場合、その中で、更に最適測定ポイントＭを１つに絞り算出することができる。
【００６０】
本発明は、以上に述べた各実施の形態等に限定されるものではなく、本発明の要旨を逸脱しない範囲内で種々の構成または形状を取ることができる。
【図面の簡単な説明】
【００６１】
【図１】本発明を適用した分光測定装置を示す全体構成図である。
【図２】本発明の概要を説明するための図である。
【図３】Ｒ（赤色）Ｇ（緑色）Ｂ（青色）から構成され、下層にＴＦＴパターンを有するカラー画像の例を示す図である。
【図４】測定色領域の例を示す図である。
【図５】探索領域の例を示す図である。
【図６】最適測定ポイントの例を示す図である。
【図７】本発明を適用した測定領域設定装置１の機能ブロック図である。
【図８】第１の実施の形態における最適測定ポイントＭの具体的な算出方法を説明するための図である。
【図９】第２の実施の形態における最適測定ポイントＭの具体的な算出方法を説明するための図である。
【図１０】第３の実施の形態における最適測定ポイントＭの具体的な算出方法を説明するための図である。
【符号の説明】
【００６２】
１      測定領域設定装置
２      分光測定装置
３      ステージ
４      レール
５      門型フレーム
６      透過照明系
７      顕微鏡ヘッド
８      撮像装置
９      ずれ量検出部
１０    駆動制御部
１１    レール
１２    スライダ
１３    追従移動機構
１４    ＸＹテーブル
１５    対物レンズ
１６    前処理部
１７    色領域抽出部
１８    中央領域抽出部
１９    最適測定ポイント抽出部
２０    カラーフィルタ
２１    色領域抽出手段
２２    最適測定位置決定手段
２３    測定領域設定手段
【図２】
2010117186.tif 000003
【図３】
2010117186.tif 000004
【図４】
2010117186.tif 000005
【図５】
2010117186.tif 000006
【図６】
2010117186.tif 000007
【図７】
2010117186.tif 000008
【図８】
2010117186.tif 000009
【図９】
2010117186.tif 000010
【図１０】
2010117186.tif 000011
【図１】
2010117186.tif 000012